(57)【要約】【課題】ケースにしっかりと固定することができるとともに、ユーザが容易に取り外すことのできる保護部材及び時計を提供する。【解決手段】ケース１に装着される保護部材５を、剛性を有する線状部材を屈曲形成することで構成され少なくとも一部がケース１の視認側に配置された保護部材本体５１と、樹脂材料で形成されケース１に係止されるケース係止部材５２とで構成し、ケース係止部材５２の一端側を保護部材本体５１の一端側に回動可能に取り付けて、保護部材本体５１に対して回動させることにより、ケース係止部材５２がケース１の裏面側に沿う係止位置と、保護部材本体５１をケース１から取り外す取外位置とを取り得るように構成した。【選択図】図２
2015121514.tif 000002
【特許請求の範囲】
【請求項１】
ケースに装着される保護部材であり、
剛性を有する線状部材を屈曲形成することで構成され、少なくとも一部が前記ケースの視認側に配置された保護部材本体と、
樹脂材料で形成され、前記ケースに係止されるケース係止部材と、
を備え、
前記ケース係止部材の一端側は、前記保護部材本体の一端側に回動可能に取り付けられ、
前記ケース係止部材は、前記保護部材本体に対して回動することにより、前記ケースの裏面側に沿う係止位置と、前記保護部材本体を前記ケースから取り外す取外位置とを取り得るように構成されていることを特徴とする保護部材。
【請求項２】
前記ケースには、ケース側係止部が設けられ、
前記ケース係止部材の自由端側には、前記ケース側係止部に係止される係止部材側係止部が設けられていることを特徴とする請求項１に記載の保護部材。
【請求項３】
前記保護部材本体の他端側は、前記ケースに係止された本体側係止部となっており、
前記ケース係止部材の自由端側には、前記本体側係止部に係止される係止部材側係止部が設けられていることを特徴とする請求項１に記載の保護部材。
【請求項４】
前記保護部材本体は、前記線状部材をＵ字型に屈曲形成することで構成され、
前記線状部材のＵ字の閉塞側が前記ケースの一端側に係止され、
前記線状部材のＵ字の開口側の各端部は、前記ケース係止部材の一端側に、前記ケース係止部材の一端部からの距離を違えた位置に取り付けられていることを特徴とする請求項１に記載の保護部材。
【請求項５】
前記保護部材本体は、前記線状部材をＵ字型に屈曲形成することで構成され、
前記線状部材のＵ字の閉塞側が前記ケースの一端側に係止され、
前記線状部材のＵ字の開口側の各端部は、挿入方向の奥側に行くにしたがって前記ケース係止部材の回動中心から離れるように、前記ケース係止部材の一端側に挿入されていることを特徴とする請求項１に記載の保護部材。
【請求項６】
前記ケース係止部材の回動部分には、前記ケース係止部材を前記ケースから離間させる方向に回動させた際に前記ケースに突き当たり前記ケースを押圧する突起部が設けられていることを特徴とする請求項１に記載の保護部材。
【請求項７】
前記ケース係止部材は、前記ケースの裏面側に沿う板状部を備えており、
前記板状部には、通気用の溝部が形成されていることを特徴とする請求項１から請求項６のいずれか一項に記載の保護部材。
【請求項８】
請求項１から請求項７のいずれか一項に記載の保護部材と、
視認側に風防部材が装着されたケースと、
を備えることを特徴とする時計。
【発明の詳細な説明】
【技術分野】
【０００１】
本発明は、保護部材及び時計に関するものである。
【背景技術】
【０００２】
従来、ケース上面に風防ガラスが装着された腕時計において、風防ガラスが設けられているケースの上面側に一部が配置され、風防ガラス等を保護して衝撃による破損等を防ぐ保護部材（プロテクタ）が知られている（例えば、特許文献１参照）。
保護部材は、例えばワイヤ等の線状部材を屈曲形成してなり、その一部を時計ガラスの上面に配置させ、他の一部を腕ケースの下面やケースの外周面に装着されたカバーとケースのとの間等に係止させることにより、ケースに取り付けられている。
【先行技術文献】
【特許文献】
【０００３】
【特許文献１】特開平１０−２８２２６１号公報
【発明の概要】
【発明が解決しようとする課題】
【０００４】
保護部材は、風防ガラスを衝撃等から保護するものであるとともに、腕時計のデザイン的なアクセントともなるものである。
このため、服装等に応じて適宜保護部材を取り換えて、デザインのバリエーションを楽しみたいという要望がある。
【０００５】
しかしながら、風防ガラス等を十分に保護するために、保護部材を構成する線状部材はある程度剛性を有するものとなっている。
このため、従来の構成の保護部材は、手では容易に取り外すことができず、無理に外そうとすれば爪等を痛めるおそれがある、
また、ドライバー等の道具を用いて取り外し作業をする場合でも、かなりの力をかけなければ取り外すことができないため、作業の際にケース等を傷つけてしまうおそれもある。
【０００６】
従来の構成の保護部材を交換のための取り外しができるようにするためには、線状部材の線径を細くしたりケースへの引っかかり量を少なくすることが考えられる。
しかし、線状部材の線径を細くすればその分プロテクタとしての強度が低下してしまう。また、ケースへの引っかかり量を少なくした場合には、腕時計に衝撃等が加わった際に保護部材がケースから外れやすくなり、本来の保護部材としての役割を十分果たせなくなるおそれがある。
【０００７】
本発明は以上のような事情に鑑みてなされたものであり、ケースにしっかりと固定することができるとともに、ユーザが工具等を用いずに容易に取り外すことのできる保護部材及び時計を提供することを目的とするものである。
【課題を解決するための手段】
【０００８】
前記課題を解決するために、本発明に係る保護部材は、
ケースに装着される保護部材であり、
剛性を有する線状部材を屈曲形成することで構成され、少なくとも一部が前記ケースの視認側に配置された保護部材本体と、
樹脂材料で形成され、前記ケースに係止されるケース係止部材と、
を備え、
前記ケース係止部材の一端側は、前記保護部材本体の一端側に回動可能に取り付けられ、
前記ケース係止部材は、前記保護部材本体に対して回動することにより、前記ケースの裏面側に沿う係止位置と、前記保護部材本体を前記ケースから取り外す取外位置とを取り得るように構成されていることを特徴としている。
【０００９】
また、本発明に係る時計は、
請求項１から請求項７のいずれか一項に記載の保護部材と、
視認側に風防ガラスが装着されたケースと、
を備えることを特徴としている。
【発明の効果】
【００１０】
本発明によれば、保護部材をケースにしっかりと固定することができるとともに、ユーザが工具等を用いずに容易に取り外すことができるという効果を奏する。
【図面の簡単な説明】
【００１１】
【図１】第１の実施形態における保護部材を適用した腕時計の正面図である。
【図２】（ａ）は、図１の腕時計におけるII−II線に沿う断面図であり、（ｂ）は、（ａ）において一点鎖線で囲んだ部分の拡大図である。
【図３】第１の実施形態における腕時計を斜め下方から見た斜視図である。
【図４】（ａ）は、図３の腕時計から保護部材を取り外した状態を示す斜視図であり、（ｂ）は、（ａ）において一点鎖線で囲んだ部分の拡大図である。
【図５】（ａ）は、図３の腕時計を異なる角度から見た斜視図であり、（ｂ）は、（ａ）において一点鎖線で囲んだ部分の拡大図である。
【図６】（ａ）は、第１の実施形態における保護部材の一変形例を適用した腕時計を示す断面図であり、（ｂ）は、（ａ）において一点鎖線で囲んだ部分の拡大図である。
【図７】第１の実施形態における保護部材の一変形例を適用した腕時計を示す斜視図である。
【図８】第２の実施形態における保護部材を適用した腕時計を裏面側から見た平面図である。
【図９】（ａ）は、図８の腕時計におけるａ−ａ線に沿う断面図であり、（ｂ）は、図８の腕時計におけるｂ−ｂ線に沿う断面図である。
【図１０】第２の実施形態における腕時計を斜め下方から見た斜視図である。
【図１１】第３の実施形態における保護部材を適用した腕時計を裏面側から見た平面図である。
【図１２】第４の実施形態に係る保護部材を適用した時計の要部側断面図であり、（ａ）は、保護部材が固定されている状態を示し、（ｂ）は、ケース係止部材を回動させた状態を示し、（ｃ）は、突起部がケースに突き当てられた状態を示し、（ｄ）は、ケース係止部材をさらに回動させた状態を示している。
【発明を実施するための形態】
【００１２】
［第１の実施形態］
先ず、図１から図５（ａ）及び図５（ｂ）を参照しつつ、本発明に係る保護部材及びこれを備える時計の第１の実施形態を説明する。なお、本実施形態では、保護部材を腕に装着するタイプの時計（以下「腕時計」という。）に設ける場合を例として説明する。
【００１３】
図１は、本実施形態に係る時計（腕時計）の正面図であり、図２（ａ）は、図１に示すII-II線に沿う断面図であり、図２（ｂ）は、図２（ａ）において一点鎖線で囲んだ部分の拡大図である。
【００１４】
図１及び図２（ａ）に示すように、腕時計１００は、ケース１と、ケース１に装着される保護部材５と、を備えている。
本実施形態のケース１は、ケース本体１１と、このケース本体１１に被せられる外装部材１２とで構成されている。
ケース本体１１及び外装部材１２は、例えばポリアリレート樹脂やＡＢＳ樹脂等で形成されている。
なお、ケース本体１１及び外装部材１２を形成する材料は、ここに例示したものに限定されない。例えば、ケース本体１１をステンレスやチタン等の金属材料で形成し、これに樹脂等で形成された外装部材１２を被せてもよい。
また、ケース１をケース本体１１と外装部材１２とで構成することは必須ではなく、例えば金属材料や樹脂材料等により一体的に構成してもよい。
【００１５】
図３は、腕時計を斜め下方から見た斜視図であり、図４（ａ）は、図３の腕時計から保護部材を取り外した状態を示す斜視図であり、図４（ｂ）は、図４（ａ）において一点鎖線で囲んだ部分の拡大図である。
図３及び図４（ａ）に示すように、ケース１の上下（図１における上下、時計の６時側と１２時側）には、図示しないバンドを取り付けるバンド取付部１３がそれぞれ設けられている。
本実施形態では、図３及び図４（ａ）に示すように、ケース本体１１にバンド取付部１３が設けられ、外装部材１２によってバンド取付部１３が被覆されている。
また、図１及び図２（ａ）に示すように、ケース１の側面には、各種操作を行うための操作ボタン２が設けられている。
【００１６】
図２（ａ）に示すように、ケース１は、上下（図２（ａ）における上下）に開口した中空の短柱形状に形成されており、ケース１の内部には、例えば図示しない表示部を構成する指針を動作させるための駆動源となるモータや歯車機構等が搭載された図示しない時計モジュールが収容されている。
ケース１の視認側（表面側、図２（ａ）において上側）の開口部分には、開口部分を覆うように風防部材としてのカバーガラス３が設けられている。カバーガラス３は、図示しない防水リング等を介してケース１（具体的にはケース１の外装部材１２）に装着されており、気密性が確保された状態でケース１の視認側の開口部分を閉塞するようになっている。
また、ケース１の下側（図２において下側、腕時計１００の裏面側）には、裏蓋部材４が図示しない防水リング等を介してケース１の裏面側の開口部分を閉塞するように取り付けられている。なお、ケース１と裏蓋部材４とを一体成型し、ケース１の下側に開口を設けない構成としてもよい。
【００１７】
図１に示すように、ケース１の上面（本実施形態では、外装部材１２の上面）には、保護部材５を係止する係止溝部１４が設けられている。
本実施形態では、係止溝部１４は、時計における１２時側の左右両側と、６時側の左右両側の全４箇所に形成されている。なお、係止溝部１４の設けられる位置等は図示例に限定されない。
【００１８】
また、図２（ａ）及び図２（ｂ）、図４（ａ）及び図４（ｂ）に示すように、ケース１の側部には、後述する保護部材５の係止部材側係止部５２４が係止されるケース側係止部１１１が設けられている。
本実施形態では、ケース側係止部１１１は、ケース本体１１の側部であって時計における９時側に設けられた係止爪（凸部）であり、後述する係止部材側係止部５２４に設けられた係止孔５２４ａに爪状（凸部状）のケース側係止部１１１が係止されるようになっている。
なお、ケース側係止部１１１は係止部材側係止部５２４が係止可能なものであればよく、その形状や設けられる位置は図示例に限定されない。
【００１９】
図５（ａ）は、図３の腕時計を異なる角度から見た斜視図であり、図５（ｂ）は、図５（ａ）において一点鎖線で囲んだ部分の拡大図である。
図３（ａ）及び図３（ｂ）、図５（ａ）及び図５（ｂ）に示すように、保護部材５は、線状部材を屈曲形成することで構成され、少なくとも一部がケース１の視認側に配置された保護部材本体５１と、樹脂材料で形成され、ケース１に係止されるケース係止部材５２と、を備えている。
保護部材本体５１を構成する線状部材は、例えば剛性を有する金属材料等で形成されたワイヤである。
なお、保護部材本体５１は、衝撃からカバーガラス３等を保護することのできるものであればよく、線状部材の太さや断面形状等は特に限定されない。また、保護部材本体５１を構成する材料はある程度の剛性を有するものであればよく、特に限定されない。
【００２０】
本実施形態において、保護部材本体５１は、長尺の線状部材をほぼＵ字型に屈曲形成することで構成されている。
図１等に示すように、保護部材本体５１の一部は、時計における１２時側と６時側のカバーガラス３の上にほぼ平行して配置されている。
保護部材本体５１におけるＵ字の閉塞側はケース１の上面から一方側の側面（本実施形態では時計における９時側の側面）に沿って下側に折り曲げ加工されている。また、Ｕ字の閉塞側端部は、ケース１の一方側の側面（本実施形態では時計における９時側の側面）に係止される本体側係止部５１１となっている。
また、保護部材本体５１におけるＵ字の開口側は、ケース１の上面から他方側の側面（本実施形態では時計における３時側の側面）に沿って下側に折り曲げ加工されている。
さらに、保護部材本体５１におけるＵ字の開口側の各端部は、ケース係止部材５２の一端側に取り付けられる取付部５１２（すなわち、取付部５１２ａ，５１２ｂ）となっている。
本実施形態では、上述のように、ケース１の上面と９時側の側面との角部及びケース１の上面と３時側の側面との角部において線状部材が折り曲げ加工されている。この線状部材の折り曲げ部分は、上述の係止溝部１４に嵌め込まれており、位置ずれ等を生じないようにケース１に係止されている。
【００２１】
ケース係止部材５２は、ケース１の裏面側に沿う平板状の板状部５２２を備えている。
板状部５２２には、スリット状に形成された通気用の溝部５２３が設けられている。
溝部５２３は、腕時計１００を装着する腕に汗をかいたとき等に汗等の湿気を逃がすことのできるものであればよく、その形状や配置、数等は特に限定されない。
【００２２】
ケース係止部材５２における一端部は、保護部材本体５１の取付部５１２（すなわち、取付部５１２ａ，５１２ｂ）が取り付けられる取付側端部５２１となっている。
取付側端部５２１には、ケース係止部材５２の幅方向の両側から取付部５１２（すなわち、取付部５１２ａ，５１２ｂ）がそれぞれ取り付けられる。
これにより、ケース係止部材５２は、保護部材本体５１の一端側に、取付部５１２の軸中心を回転中心として回動可能に取り付けられる。
ケース係止部材５２は、保護部材本体５１に対して回動することにより、ケース１の裏面側に沿う係止位置と、保護部材本体５１をケース１から取り外す取外位置とを取り得るように構成されている。
【００２３】
また、図５（ａ）及び図５（ｂ）に示すように、ケース係止部材５２の自由端側には、板状部５２２からケース１側に向かって立設する係止部材側係止部５２４が設けられている。
係止部材側係止部５２４は、ケース１に設けられているケース側係止部１１１に係止される係止部である。
図２（ｂ）に示すように、係止部材側係止部５２４には、ケース側係止部１１１が係止される係止孔５２４ａが形成されている。
【００２４】
なお、係止部材側係止部５２４は、ケース側係止部１１１が係止可能なものであればよく、係止孔５２４ａを有することは必須ではない。
例えば、ケース側係止部１１１をケース１の側面に形成された凹部とし、係止部材側係止部５２４を、この凹部状のケース側係止部１１１に係止される爪状の係止部としてもよい。
【００２５】
次に、本実施形態における保護部材及び時計の作用について説明する。
【００２６】
本実施形態において、腕時計１００のケース１に保護部材５を取り付ける際は、保護部材本体５１の本体側係止部５１１を腕時計１００のケース１の一方側の側面（本実施形態では時計における９時側の側面）に係止させ、保護部材本体５１の一部が腕時計１００の視認側に設けられているカバーガラス３の上に配置されるように保護部材５を配置する。そして保護部材本体５１の折り曲げ部分をそれぞれ係止溝部１４に嵌め込み、係止させる。
そして、ケース係止部材５２を保護部材本体５１に対して回動させることにより、ケース係止部材５２をケース１の裏面側に沿う係止位置に配置させる。
さらに、保護部材５の係止部材側係止部５２４をケース側係止部１１１に係止させ、保護部材５をケース１に固定する。
この状態で、腕時計１００を腕に装着すると、カバーガラス３が設けられている腕時計１００の視認側は、保護部材本体５１によって外部からの衝撃から保護される。また、腕に密着する側は、ケース係止部材の板状部５２２に形成された溝部５２３により通気性が確保され、汗等を逃がすようになっている。このため、腕時計１００を長時間装着しても蒸れずに快適な付け心地が維持される。
【００２７】
また、腕時計１００のケース１から保護部材５を取り外す際には、ケース側係止部１１１に係止されている係止部材側係止部５２４を外し、ケース係止部材５２を保護部材本体５１に対して逆方向（すなわち、ケース係止部材５２がケース１の裏面から離れる方向）に回動させることにより、保護部材本体５１をケース１から取り外す取外位置とする。
そして、そのままケース係止部材５２をある程度強い力で上方向に引き上げながら持ち上げる。これにより、ケース係止部材５２に連接されている保護部材本体５１が引っ張り上げられて、保護部材本体５１の線状部材が係止溝部１４から外れるともに本体側係止部５１１がケース１から外れて、保護部材５をケース１から取り外すことができる。
【００２８】
以上のように、本実施形態によれば、剛性を有する線状部材を屈曲形成することで構成された保護部材本体５１の少なくとも一部がケース１の視認側に配置されるため、風防部材であるカバーガラス３等を衝撃から保護することができる。
また、保護部材本体５１とケース係止部材５２とで腕時計１００のケース１を挟み込むようにしっかりと固定されているため、運動等で激しく腕を動かしても保護部材５が外れず、ケース１を確実に保護することができる。
また、この保護部材本体５１の一端側には樹脂材料で形成されケース１に係止されるケース係止部材５２が回動可能に取り付けられており、ケース係止部材５２を保護部材本体５１に対して回動させることにより、ケース１の裏面側に沿う係止位置と、保護部材本体５１をケース１から取り外す取外位置とを取り得るように構成されている。これにより、特別な工具等を用いなくてもケース係止部材５２を回動させるだけで保護部材５を容易にケース１から取り外すことができる。このため、ユーザが手軽に保護部材５を着脱することができ、服装や気分に合わせて保護部材５を取り替えて楽しむことができる。
また、保護部材５を着脱する際に工具等を用いないため、保護部材５の着脱作業の際に腕時計１００のケース１等を工具によって傷つけてしまうおそれもない。また、ケース係止部材５２を回動させるだけで保護部材５を取り外すことができるため、着脱作業の際に爪等を傷つけるおそれもない。
また、本実施形態では、ケース１にケース側係止部１１１が設けられており、これにケース係止部材５２の係止部材側係止部５２４を係止させるようになっている。これにより、簡易な構成で保護部材５を固定することができる。
また、ケース係止部材５２は、ケース１の裏面側に沿う板状部５２２を備えており、この板状部５２２には、通気用の溝部５２３が形成されている。このため、腕時計１００の装着中に腕に汗をかくことがあっても、湿気等を溝部５２３から逃がすことができ、通気性がよく、付け心地のよい状態を保つことができる。
【００２９】
なお、本実施形態では、ケース１にケース側係止部１１１を設けて、係止部材側係止部５２４をこのケース側係止部１１１に係止させる構成としたが、係止部材側係止部５２４を係止させる対象は、ケース１に設けられたケース側係止部１１１に限定されない。
例えば、図６（ａ）、図６（ｂ）及び図７に示すように、保護部材本体５１におけるケース係止部材５２の取付側とは反対側にケース１に係止される本体側係止部５１１を有する場合、係止部材側係止部５２５をこの本体側係止部５１１に係止させることで保護部材５をケース１に固定する構成としてもよい。
この場合、例えば図６（ｂ）に示すように、係止部材側係止部５２５は、線状部材で構成されている本体側係止部５１１に係止可能な爪状に形成される。なお、係止部材側係止部５２５の形状は、図示例に限定されない。
このような構成とした場合には、係止部材側係止部５２５が係止される対象がケース１側でないため、例えば、ケース１が傷の付きやすい材料で形成されていたり、表面に塗装等の加工が施されている場合に、繰返し保護部材５の着脱を行ってもケース１が傷ついたり表面の加工が剥がれる等のおそれがない。
【００３０】
［第２の実施形態］
次に、図８から図１０を参照しつつ、本発明に係る保護部材及び時計の第２の実施形態について説明する。なお、本実施形態は、ケース係止部材の構成等が第１の実施形態と異なるものであるため、以下においては、特に第１の実施形態と異なる点について説明する。
【００３１】
図８は、本実施形態に係る保護部材を適用した時計を裏面側から見た平面図であり、図９（ａ）は、図８におけるａ-ａ線に沿う時計の側断面図であり、図９（ｂ）は、図８におけるｂ-ｂ線に沿う時計の側断面図である。また、図１０は、本実施形態における時計の斜視図である。
【００３２】
図８から図１０に示すように、本実施形態の保護部材５は、第１の実施形態と同様に、線状部材をＵ字型に屈曲形成することで構成され、線状部材のＵ字の閉塞側がケース１の一端側に係止される本体側係止部５１１となっている保護部材本体５１を備えている。
また、ケース係止部材５２は、第１の実施形態と同様に、通気性を確保するための溝部５２３が形成された板状部５２２を備えている。
【００３３】
本実施形態において、ケース係止部材５２における一端部は、保護部材本体５１の取付部５１２（すなわち、取付部５１２ａ，５１２ｂ）が取り付けられる取付側端部５２１となっている。
そして、保護部材本体５１を構成する線状部材のＵ字の開口側の各端部は、取付部５１２（すなわち、取付部５１２ａ，５１２ｂ）となっており、各取付部５１２ａ，５１２ｂは、ケース係止部材５２の取付側端部５２１に、ケース係止部材５２の一端部からの距離を違えた位置に取り付けられている。
【００３４】
すなわち、本実施形態では、図８及び図９（ａ）に示すように、取付部５１２ａは、ケース係止部材５２の一端部から距離を離して、ケース係止部材５２の他端側（すなわち自由端側）寄りの位置に取り付けられている。
また、図８及び図９（ｂ）に示すように、取付部５１２ｂは、ケース係止部材５２の一端部（すなわち取付側端部５２１側の端部）寄りの位置に取り付けられている。
なお、各取付部５１２ａ，５１２ｂの、ケース係止部材５２の一端部からの距離をどの程度ずらすかは、保護部材５の大きさや、保護部材本体５１、ケース係止部材５２を形成する材料の性質（柔軟性等）に応じて適宜設定される。
【００３５】
なお、その他の構成は、第１の実施形態と同様であることから、同一部材には同一の符号を付して、その説明を省略する。
【００３６】
次に、本実施形態における保護部材及び時計の作用について説明する。
本実施形態において、腕時計１００のケース１に保護部材５を取り付ける際は、第１の実施形態と同様、保護部材本体５１の一部が腕時計１００の視認側に設けられているカバーガラス３の上に配置されるように保護部材５を配置する。そして、ケース係止部材５２を保護部材本体５１に対して回動させることにより、ケース係止部材５２をケース１の裏面側に沿う係止位置に配置させる。
このとき、ケース係止部材５２の取付側端部５２１に取り付けられている取付部５１２ａ，５１２ｂの取付位置が、ケース係止部材５２の板状部５２２の延在方向にずれて段違いに配置されていることにより、ケース係止部材５２がしっかりとケース１の裏面側に押し付けられ、保護部材５がケース１に確実に固定される。
【００３７】
また、腕時計１００のケース１から保護部材５を取り外す際には、ケース係止部材５２を保護部材本体５１に対して逆方向（すなわち、ケース係止部材５２がケース１の裏面から離れる方向）に回動させることにより、保護部材本体５１をケース１から取り外す取外位置とする。
このとき、ケース係止部材５２の取付側端部５２１に取り付けられている取付部５１２ａ，５１２ｂの取付位置が、ケース係止部材５２の板状部５２２の延在方向にずれて段違いに配置されていることにより、ケース係止部材５２を回動させると保護部材本体５１を構成する線状部材に捻じれが生じる。そして、この捻じれ力によって線状部材が片側から浮き上がり、そのままケース係止部材５２を上方向に引き上げながら持ち上げることにより、保護部材本体５１の線状部材が係止溝部１４から外れるともに本体側係止部５１１がケース１から外れて、保護部材５をケース１から取り外すことができる。
【００３８】
なお、その他の点については、第１の実施形態と同様であることから、その説明を省略する。
【００３９】
以上のように、本実施形態によれば、第１の実施形態と同様の効果を得られる他、以下の効果を得ることができる。
すなわち、本実施形態では、取付部５１２ａ，５１２ｂが、ケース係止部材５２の取付側端部５２１に、ケース係止部材５２の一端部からの距離を違えた位置に取り付けられている。これにより、ケース係止部材５２がしっかりとケース１の裏面側に押し付けられ、保護部材５がケース１に確実に固定される。
また、保護部材５をケース１から取り外す際には、ケース係止部材５２を回動させると保護部材本体５１を構成する線状部材に捻じれが生じる。本実施形態では、この捻じれ力を利用して線状部材を片側から浮き上がらせて取り外すことにより、比較的弱い力でも楽に保護部材５をケース１から取り外すことができる。
【００４０】
［第３の実施形態］
次に、図１１を参照しつつ、本発明に係る保護部材及び時計の第３の実施形態について説明する。なお、本実施形態は、ケース係止部材の構成等が第１の実施形態及び第２の実施形態と異なるものであるため、以下においては、特に第１の実施形態及び第２の実施形態と異なる点について説明する。
【００４１】
図１１は、本実施形態に係る保護部材を適用した時計を裏面側から見た平面図である。
【００４２】
図１１に示すように、本実施形態の保護部材５は、第１の実施形態及び第２の実施形態と同様に、線状部材をＵ字型に屈曲形成することで構成され、線状部材のＵ字の閉塞側がケース１の一端側に係止される本体側係止部５１１となっている保護部材本体５１を備えている。
また、ケース係止部材５２は、第１の実施形態及び第２の実施形態と同様に、通気性を確保するための溝部５２３が形成された板状部５２２を備えている。
【００４３】
本実施形態において、ケース係止部材５２における一端部は、保護部材本体５１の取付部５１２（すなわち、取付部５１２ａ，５１２ｂ）が取り付けられる取付側端部５２１となっている。
そして、保護部材本体５１を構成する線状部材のＵ字の開口側の各端部は、取付部５１２（すなわち、取付部５１２ａ，５１２ｂ）となっており、各取付部５１２ａ，５１２ｂは、挿入方向の奥側に行くにしたがってケース係止部材５２の回動中心（図１１において回動中心ＣＬ）から離れるように、ケース係止部材５２の一端側に挿入されている。
【００４４】
すなわち、本実施形態では、図１１に示すように、取付部５１２ａ，５１２ｂは、挿入方向手前側から奥側に向けて角度をつけて取り付けられており、平面視においてほぼハの字状となっている。
なお、取付部５１２ａ，５１２ｂにどの程度の角度をつけるかは、保護部材５の大きさや、保護部材本体５１、ケース係止部材５２を形成する材料の性質（柔軟性等）に応じて適宜設定される。
【００４５】
なお、その他の構成は、第１の実施形態及び第２の実施形態と同様であることから、同一部材には同一の符号を付して、その説明を省略する。
【００４６】
次に、本実施形態における保護部材及び時計の作用について説明する。
本実施形態において、腕時計１００のケース１に保護部材５を取り付ける際は、第１の実施形態及び第２の実施形態と同様、保護部材本体５１の一部が腕時計１００の視認側に設けられているカバーガラス３の上に配置されるように保護部材５を配置する。そして、ケース係止部材５２を保護部材本体５１に対して回動させることにより、ケース係止部材５２をケース１の裏面側に沿う係止位置に配置させる。
このとき、ケース係止部材５２の取付側端部５２１に取り付けられている取付部５１２ａ，５１２ｂが、挿入方向の奥側に行くにしたがってケース係止部材５２の回動中心（図１１において回動中心ＣＬ）から離れるように角度をつけて取り付けられていることにより、ケース係止部材５２がしっかりとケース１の裏面側に押し付けられ、保護部材５がケース１に確実に固定される。
【００４７】
また、腕時計１００のケース１から保護部材５を取り外す際には、ケース係止部材５２を保護部材本体５１に対して逆方向（すなわち、ケース係止部材５２がケース１の裏面から離れる方向）に回動させることにより、保護部材本体５１をケース１から取り外す取外位置とする。
このとき、ケース係止部材５２の取付側端部５２１に取り付けられている取付部５１２ａ，５１２ｂが、挿入方向の奥側に行くにしたがってケース係止部材５２の回動中心ＣＬから離れるように角度をつけて取り付けられていることにより、ケース係止部材５２を回動させると保護部材本体５１を構成する線状部材に捻じれが生じる。そして、この捻じれ力によって線状部材が浮き上がり、そのままケース係止部材５２を上方向に引き上げながら持ち上げることにより、保護部材本体５１の線状部材が係止溝部１４から外れるともに本体側係止部５１１がケース１から外れて、保護部材５をケース１から取り外すことができる。
【００４８】
なお、その他の点については、第１の実施形態及び第２の実施形態と同様であることから、その説明を省略する。
【００４９】
以上のように、本実施形態によれば、第１の実施形態及び第２の実施形態と同様の効果を得られる他、以下の効果を得ることができる。
すなわち、本実施形態では、ケース係止部材５２の取付側端部５２１に取り付けられている取付部５１２ａ，５１２ｂが、挿入方向の奥側に行くにしたがってケース係止部材５２の回動中心ＣＬから離れるように角度をつけて取り付けられている。これにより、ケース係止部材５２がしっかりとケース１の裏面側に押し付けられ、保護部材５がケース１に確実に固定される。
また、保護部材５をケース１から取り外す際には、ケース係止部材５２を回動させると保護部材本体５１を構成する線状部材に捻じれが生じる。本実施形態では、この捻じれ力を利用して線状部材を浮き上がらせて取り外すことにより、比較的弱い力でも楽に保護部材５をケース１から取り外すことができる。
【００５０】
［第４の実施形態］
次に、図１２（ａ）から図１２（ｄ）を参照しつつ、本発明に係る保護部材及び時計の第４の実施形態について説明する。なお、本実施形態は、ケース係止部材の構成等が第１の実施形態から第３の実施形態と異なるものであるため、以下においては、特に第１の実施形態から第３の実施形態と異なる点について説明する。
【００５１】
図１２（ａ）から図１２（ｄ）は、本実施形態に係る保護部材を適用した時計の要部側断面図である。
【００５２】
本実施形態の保護部材５は、第１の実施形態から第３の実施形態と同様に、線状部材をＵ字型に屈曲形成することで構成され、線状部材のＵ字の閉塞側がケース１の一端側に係止される本体側係止部５１１となっている保護部材本体５１を備えている。
ケース係止部材５２は、第１の実施形態から第３の実施形態と同様に、通気性を確保するための溝部５２３が形成された板状部５２２を備えている。また、図示は省略するが、ケース係止部材５２の自由端側は、ケース１、又はケース１に係止されている保護部材本体５１に係止されるようになっている。
【００５３】
本実施形態において、ケース係止部材５２における一端部は、保護部材本体５１の取付部５１２（すなわち、取付部５１２ａ，５１２ｂ）が取り付けられる取付側端部５２１となっている。
そして、保護部材本体５１を構成する線状部材のＵ字の開口側の各端部は、取付部５１２（すなわち、取付部５１２ａ，５１２ｂ）となっている。
各取付部５１２ａ，５１２ｂは、それぞれケース係止部材５２の取付側端部５２１に挿入されている。
【００５４】
また、本実施形態では、図１２（ａ）から図１２（ｄ）に示すように、ケース係止部材５２の回動部分である取付側端部５２１に、ケース係止部材５２をケース１から離間させる方向に回動させた際にケース１に突き当たりケース１を押圧する突起部５２６が設けられている。
保護部材５をケース１から取り外す際には、ケース係止部材５２は、ケース１に突き当たっている突起部５２６の先端部を支点として保護部材本体５１に対して回動するようになっている。
【００５５】
なお、その他の構成は、第１の実施形態から第３の実施形態と同様であることから、同一部材には同一の符号を付して、その説明を省略する。
【００５６】
次に、本実施形態における保護部材及び時計の作用について説明する。
本実施形態において、腕時計１００のケース１に保護部材５を取り付ける際は、第１の実施形態から第３の実施形態と同様、保護部材本体５１の一部が腕時計１００の視認側に設けられているカバーガラス３の上に配置されるように保護部材５を配置する。そして、ケース係止部材５２を保護部材本体５１に対して回動させることにより、図１２（ａ）に示すように、ケース係止部材５２をケース１の裏面側に沿う係止位置に配置させる。
【００５７】
また、腕時計１００のケース１から保護部材５を取り外す際には、図１２（ｂ）に示すように、ケース係止部材５２を保護部材本体５１に対して逆方向（すなわち、ケース係止部材５２がケース１の裏面から離れる方向）に回動させ、保護部材本体５１をケース１から取り外す取外位置とする。
このとき、図１２（ｃ）に示すように、突起部５２６がケース１に突き当たり、ケース１を押圧する。これにより、ケース係止部材５２は、ケース１に突き当たっている突起部５２６の先端部を支点として保護部材本体５１に対して回動し、図１２（ｄ）に示すように、てこの原理により、ケース係止部材５２及び保護部材本体５１がケース１から引き剥がされる方向に押し上げられる。
そして、このままケース係止部材５２を上方向に引き上げながら持ち上げることにより、保護部材本体５１の線状部材が係止溝部１４から外れるともに本体側係止部５１１がケース１から外れて、保護部材５をケース１から取り外すことができる。
【００５８】
なお、その他の点については、第１の実施形態から第３の実施形態と同様であることから、その説明を省略する。
【００５９】
以上のように、本実施形態によれば、第１の実施形態から第３の実施形態と同様の効果を得られる他、以下の効果を得ることができる。
すなわち、本実施形態では、ケース係止部材５２の回動部分である取付側端部５２１に、ケース係止部材５２をケース１から離間させる方向に回動させた際にケース１に突き当たりケース１を押圧する突起部５２６が設けられている。
このため、保護部材５をケース１から取り外す際には、ケース係止部材５２を回動させると、突起部５２６がケース１に突き当たり、てこの原理により、ケース係止部材５２及び保護部材本体５１がケース１から引き剥がされる方向に押し上げられる。これにより、比較的弱い力でも楽に保護部材５をケース１から取り外すことができる。
【００６０】
なお、以上本発明の実施形態について説明したが、本発明は、かかる実施形態に限定されず、その要旨を逸脱しない範囲で、種々変形が可能であることは言うまでもない。
【００６１】
例えば、上記各実施形態では、ケース１の視認側に保護部材本体５１としての線状部材（ワイヤ）のみが配置される場合を例示したが、この線状部材に、例えばウレタン等で形成された緩衝部材を取り付けてもよい。
これにより、一層確実にカバーガラス３等を衝撃等から保護することができる。
【００６２】
また、ケース係止部材５２の自由端側の内側（ケース１の裏面に当接する側）等に、爪等を差し込むことのできる凹部等を設けてもよい。
このような凹部等を設けることにより、ケース係止部材５２がしっかりとケース１の裏面側に押し付けられ、密着している場合でも、簡易にケース係止部材５２をケース１の裏面側から引き起こすことができ、取り外し作業がより一層容易となる。
【００６３】
また、上記各実施形態では、時計として腕時計１００を例示したが、腕時計でなく、懐中時計や、キーホルダ等で鞄等に着脱可能に構成された時計等でもよい。
【００６４】
また、上記各実施形態では、保護部材５を腕時計１００に取り付ける場合を例示したが、保護部材５は腕時計１００に適用される場合に限定されない。
例えば、歩数計や心拍数計、高度計、気圧計等のケースに取り付ける保護部材として本発明の保護部材を適用してもよい。
【００６５】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ケースに装着される保護部材であり、
剛性を有する線状部材を屈曲形成することで構成され、少なくとも一部が前記ケースの視認側に配置された保護部材本体と、
樹脂材料で形成され、前記ケースに係止されるケース係止部材と、
を備え、
前記ケース係止部材の一端側は、前記保護部材本体の一端側に回動可能に取り付けられ、
前記ケース係止部材は、前記保護部材本体に対して回動することにより、前記ケースの裏面側に沿う係止位置と、前記保護部材本体を前記ケースから取り外す取外位置とを取り得るように構成されていることを特徴とする保護部材。
＜請求項２＞
前記ケースには、ケース側係止部が設けられ、
前記ケース係止部材の自由端側には、前記ケース側係止部に係止される係止部材側係止部が設けられていることを特徴とする請求項１に記載の保護部材。
＜請求項３＞
前記保護部材本体の他端側は、前記ケースに係止された本体側係止部となっており、
前記ケース係止部材の自由端側には、前記本体側係止部に係止される係止部材側係止部が設けられていることを特徴とする請求項１に記載の保護部材。
＜請求項４＞
４  前記保護部材本体は、前記線状部材をＵ字型に屈曲形成することで構成され、
前記線状部材のＵ字の閉塞側が前記ケースの一端側に係止され、
前記線状部材のＵ字の開口側の各端部は、前記ケース係止部材の一端側に、前記ケース係止部材の一端部からの距離を違えた位置に取り付けられていることを特徴とする請求項１に記載の保護部材。
＜請求項５＞
前記保護部材本体は、前記線状部材をＵ字型に屈曲形成することで構成され、
前記線状部材のＵ字の閉塞側が前記ケースの一端側に係止され、
前記線状部材のＵ字の開口側の各端部は、挿入方向の奥側に行くにしたがって前記ケース係止部材の回動中心から離れるように、前記ケース係止部材の一端側に挿入されていることを特徴とする請求項１に記載の保護部材。
＜請求項６＞
前記ケース係止部材の回動部分には、前記ケース係止部材を前記ケースから離間させる方向に回動させた際に前記ケースに突き当たり前記ケースを押圧する突起部が設けられていることを特徴とする請求項１に記載の保護部材。
＜請求項７＞
前記ケース係止部材は、前記ケースの裏面側に沿う板状部を備えており、
前記板状部には、通気用の溝部が形成されていることを特徴とする請求項１から請求項６のいずれか一項に記載の保護部材。
＜請求項８＞
請求項１から請求項７のいずれか一項に記載の保護部材と、
視認側に風防部材が装着されたケースと、
を備えることを特徴とする時計。
【符号の説明】
【００６６】
１      ケース
３      カバーガラス
５      保護部材
１１    ケース本体
１２    外装部材
５１    保護部材本体
５２    ケース係止部材
１００  腕時計
１１１  ケース側係止部
５１１  本体側係止部
５１２  取付部
５２１  取付側端部
５２３  溝部
５２４  係止部材側係止部
５２６  突起部
【図１】
2015121514.tif 000003
【図２】
2015121514.tif 000004
【図３】
2015121514.tif 000005
【図４】
2015121514.tif 000006
【図５】
2015121514.tif 000007
【図６】
2015121514.tif 000008
【図７】
2015121514.tif 000009
【図８】
2015121514.tif 000010
【図９】
2015121514.tif 000011
【図１０】
2015121514.tif 000012
【図１１】
2015121514.tif 000013
【図１２】
2015121514.tif 000014